(57)【要約】【課題】自動車用デッキボードの端末に、デッキボードを持ち上げる際の把手となるウェビングベルトを、車体側の部材との干渉を抑え、かつ常にデッキボードの上方へと延びるように取り付ける。【解決手段】デッキボード１の端末に、斜め下方に面する傾斜面７が形成されており、ウェビングベルト１０が、この傾斜面に沿って斜め上方にデッキボード１の上面上まで延びるように、ねじ１１によって固定して取り付けられている。デッキボード１は、表側外壁２と裏側外壁３の間が中空の構造を有しており、傾斜面７の内面と表側外壁２の内面との間に両者をつなぐ取付リブ５が形成され、この取付リブ５にねじ１１がねじ込んで取り付けられている。【選択図】  図２
2004314839.tif 000002
【特許請求の範囲】
【請求項１】
自動車の座席後方からバックドアまでの部分の床面上に配設されるデッキボードの端未構造であって、
前記デッキボードの端末に、斜め下方に面する傾斜面が形成され、ウェビングベルトが前記傾斜面に沿って斜め上方に前記デッキボードの上面上まで延びるように取り付けられている、自動車用デッキボードの端末構造。
【請求項２】
前記ウェビングベルトはねじによって傾斜面に沿って固定されている、請求項１に記載の、自動車用デッキボードの端末構造。
【請求項３】
前記傾斜面は、上面側が車体壁の内面に近接し、下面側が前記車体壁の内面から離間して位置し、これによって形成された前記傾斜面と前記車体壁との間の隙間に、前記ねじの頭部が位置する、請求項２に記載の、自動車用デッキボードの端末構造。
【請求項４】
前記デッキボードは中空の構造を有しており、前記傾斜面の内面には、前記デッキボードの上面側の壁側へと延びる取付リブが形成され、該取付リブに前記ねじがねじ込まれている、請求項２または３に記載の、自動車用デッキボードの端末構造。
【請求項５】
前記デッキボードは中空の構造を有しており、該デッキボードの上面側の壁の内面と前記傾斜面の内面との間に両者を連結するリブが形成されている、請求項１から３のいずれか１項に記載の、自動車用デッキボードの端末構造。
【請求項６】
前記リブに、前記ウェビングベルトを前記傾斜面に固定するねじがねじ込まれている、請求項５に記載の、自動車用デッキボードの端末構造。
【請求項７】
前記ウェビングベルトは、自動車のバックドア側の端末に取り付けられている、請求項１から６のいずれか１項に記載の、自動車用デッキボードの端末構造。
【発明の詳細な説明】
【０００１】
【発明の属する技術分野】
本発明は、自動車の座席後方からバックドアまでの間の、荷物の載置部として通常利用される部分の床面上に配設されるデッキボードの端末構造に関する。
【０００２】
【従来の技術】
自動車、特にワゴン、ハッチバックなどの、バックドアを有する形式の自動車では、通常、乗員が着座する座席の背後からバックドアに至るまでの間のデッキ部を荷物の載置部として利用している。
【０００３】
乗用自動車の場合、デッキ部の床面上には、一般的に、比較的剛性のある、成形によって形成した、または非成形の板状体が配設されており、本明細書では、このような板状体をデッキボードと称する。デッキボードは、その上に荷物を載置し、また、その下に、荷物を収容する空間を設けるなどして、デッキ部を多様に利用可能とする働きをしている。また、デッキボードには、通常、その表面に表皮材が貼着されて意匠性が付与され、それによって、デッキボードは、デッキ部の意匠性を高める働きもしている。
【０００４】
デッキ部へバックドア側からアクセスできる自動車では、デッキボードは、バックドア側に近い端末を持ち上げて開閉可能な構成とされ、それによって、デッキボードの下方の空間を好便に利用可能としている。この際、デッキボードのバックドア側の部分などを部分的に折り畳み可能な構成とし、折り畳むことによってその部分だけ開閉可能とすることもある。
【０００５】
従来、利用者がデッキボードの端未を持ち上げる操作を容易にする構成として、デッキボードの端末に帯紐状の部材を取り付け、これを把手として利用可能とした構成が知られている。
【０００６】
このような従来技術は、例えば特許文献１に開示されている。図４に示すように、同文献に開示されたデッキボード５０は、その端部の一部を折り畳んで、その下方に設けられた、工具などの荷物を収容する空間の上方を開くことができるようになっている。この折り畳むことができる部分の末端には、帯状のひも５１が取り付けられており、このひも５１をつかんでこの部分を開閉できるようになっている。ひも５１は、両端部がデッキボード５０の上面と下面にそれぞれ固定され、ループ状になっている。デッキボード５０を閉めた状態では、ひも５１は、その一部がデッキボードの端末と車体の内壁との間を通り、デッキボード５０上に出た状態にされる。
【０００７】
また、別の従来技術が特許文献２に開示されている。図５に示すように、同文献に開示されたデッキボード６０では、デッキボードの開操作時に把手として利用されるストラップテープ６１が、デッキボード６０の裏面に突出して形成された取付用ボス６２にビス６３によって取り付けられている。デッキボード６０には、取付用ボス６２の近くに挿通孔６４が形成されており、ストラップテープ６１は、この挿通孔６４を通ってデッキボード６０の上方に引き出されている。
【０００８】
【特許文献１】
特開平７−８１６２８号公報（特願平７−８１６２８号）
【特許文献２】
特開平１０−１１９６５０号公報（特願平８−２７８２５０号）
【０００９】
【発明が解決しようとする課題】
デッキボードは、見栄えを良くし、また良好な遮音効果が得られるようにするために、その端末が車体の壁にできるだけ密接するように構成する必要がある。このため、上述の特許文献１に開示された構成では、ひも５１がデッキボード５０の端末に設けられているので、デッキボード５１を閉める時に、ひも５１が車体の壁に干渉しやすくなる。そこで、ひも５１として、硬いものや、厚さの厚いもの、弾性の高いものを用いた場合、デッキボード５０を閉める時に、ひも５１が車体の壁と干渉することによって、円滑な操作が阻害される可能性がある。
【００１０】
一方、ひも５１を柔らかい素材から形成すれば、干渉は緩和される。しかし、柔らかい素材はこしがないので、デッキボード５０を閉める際に、ひも５１を注意して持っているなどしなければ、ひも５１は下方に垂れ下がり、デッキボー５０の下方に隠れてしまう可能性がある。このようになった場合、その後、デッキボード６０を持ち上げる際にひも５１を利用できなくなってしまうという不都合が生じる。
【００１１】
これに対して、特許文献２に開示された構成では、ストラップ６１が挿通孔６４を通って上面上に引き出されているので、裏面側には落ちにくく、ストラップ６１を、確実にデッキボード上に位置させておくことができる。しかしながら、この構成では、ストラップテープ６１が、明らかに、デッキボード６０の上面の、端末より内側の位置で引き出されているため、デッキボード６０上の、荷物を載置するのに利用できる面積が狭くなってしまう。すなわち、ストラップ６１が引き出されている部分の上に荷物を載置したのでは、荷物の安定性が悪くなることが考えられ、また、ストラップ６１を利用できなくなってしまう。
【００１２】
さらに、特許文献２に開示された構成では、デッキボード６０の裏面にボス６０が形成され、また、ストラップテープ６１が引き回されているため、デッキボード６０の裏面に凹凸が生じ、裏面側の荷物収容容積がその分減少してしまう。また、荷物がこれらのボス６０やストラップテープ６１に引っ掛かってしまうことも考えられる。また、挿通孔６４を形成するために穴あけ加工を実施する必要が生じるのに加えて、ストラップテープ６１も、裏面側を引き回した上に表面側に引き出す分、長めにする必要があり、コスト面でも不利である。
【００１３】
また、自動車が大型化するのに伴い、デッキボードもまた大型化され、耐荷重性を高めるために厚肉化されてきている。このような厚肉のデッキボードでは重量も相応して大きくなり、これを持ち上げるのには大きな力が必要となる。そこで、デッキボードの取り扱いを容易にするため、強度を高く保ちながら軽量化することができる方法として、デッキボードを、ブロー成形などを利用して、内部が中空の構造にすることが知られている。しかしながら、この構成では、把手となる帯紐状の部材を取り着ける、特にねじなどによって取り付ける、すなわち螺着するのに必要な、取付部の肉厚を確保しにくくなってしまう。また、軽量化するにしても、把手が取り付けられる、デッキボードの端末には、開操作時に比較的大きな力がかかり、この部分を補強する必要があるという課題もある。
【００１４】
本発明は、上記課題に鑑みてなされたものであり、本発明の目的は、自動車の座席後方からバックドア側にわたる部分の床面上に配設されるデッキボードの端末構造として、把手となる帯紐状の部材とバックドアなどの車体側の部材との間に干渉が生じるのを抑え、かつ、帯状部材を、利用者が利用しやすいように、デッキボードの上方に上向きに常に位置させることができる端末構造を提供することにある。また、本発明の他の目的は、さらに、帯紐状の部材の取付部の強度を高くすることが可能な端末構造を提供することにある。
【００１５】
【課題を解決するための手段】
上述の目的を達成するため、本発明の自動車用デッキボードの端末構造は、自動車の座席後方からバックドアまでの部分の床面上に配設されるデッキボードの端未構造であって、デッキボードの端末に、斜め下方に面する傾斜面が形成され、ウェビングベルトが傾斜面に沿って斜め上方にデッキボードの上面上まで延びるように取り付けられていることを特徴とする。
【００１６】
この構成によれば、ウェビングベルトは、傾斜面に沿って斜めに立ち上がるように延びているので、水平に延びている場合に比べて比較的やわらかいものであっても、安定して立ち上がった状態に維持することができる。したがって、利用者が特に注意していなくても、デッキボードを床面上に配設した状態でウェビングベルトが常にデッキボード上に出ている状態となり、利用者は、このウェビングベルトを、デッキボ−ドを持ち上げるのにいつでも利用することができる。また、ウェビングベルトは斜め上方に延びているので、水平に延びている場合に比べて、車体の壁の内面との干渉も小さい。
【００１７】
ウェビングベルトは、傾斜面にねじによって固定するのが好ましい。それによって、ウェビングベルトを傾斜面に密着させて支持することができ、ウェビングベルトは、斜めに立ち上がった状態に安定して維持されやすくなる。
【００１８】
傾斜面は、上面側が車体壁の内面に近接するように位置させるのが好ましい。それによって、床面全体が隙間無くデッキボードに覆われた状態にすることが可能となり、見栄えを良くし、また、デッキボードによる遮音効果を効果的に得ることができる。一方、傾斜面の下面側は、車体壁の内面から離間して位置させることができる。それによって、ねじの頭部を、傾斜面と車体壁との間に位置させることができ、ねじのために意匠性が損なわれるのを防止することができる。また、ねじの頭部が、デッキボードの裏面側に出っ張らないようにでき、デッキボードの下方に形成される、荷物を載置する空間が狭くなったり、荷物や利用者の衣服などがねじの頭部に引っ掛かったりするのを防止することができる。
【００１９】
本発明は、中空のデッキボードにも好適に適用することができる。この場合、傾斜面の内面には、デッキボードの上面側の壁側へと延びる取付リブを形成するのが好ましい。それによって、ねじを取付リブにねじ込んで、安定して取り付けることができる。また、取付リブは、デッキボードを持ち上げる際に比較的大きな応力が加わる、ウェビングベルトの取付部を補強する働きもする。
【００２０】
本発明を中空のデッキボードに適用する場合の他の態様として、デッキボードには、上面側の壁の内面と傾斜面の内面との間に、両者を連結するリブを形成するのが好ましい。この構成によれば、ウェビングベルトの取付部に、断面で見て、デッキボードの上面側の壁と傾斜面とリブとによって小さな三角形が形成され、各辺同士が支え合う、強度の高い構造が形成される。このリブは、ウェビングベルトを固定するねじをねじ込む部分として利用することができる。
【００２１】
本発明において、ウェビングベルトは、利用者が把手として利用するものであり、このように利用しやすい、自動車のバックドア側の端末に取り付けるのが好適である。
【００２２】
【発明の実施の形態】
以下、本発明の好適な実施形態について図面を参照して説明する。図１は、本実施形態のデッキボード１を示す図であり、図１（ａ）は斜視図、図１（ｂ）は断面図を示している。図２は、デッキボード１を持ち上げる際の把手となるウェビングベルト１０が取り付けられた部分の拡大図であり、図２（ａ）は断面図、図２（ｂ）は斜視図である。図３は、自動車に取り付けられた状態のデッキボード１を示す図であり、図３（ａ）は、自動車のバックドア３０側から見た斜視図、図３（ｂ）は、一部を破断して示す斜視図である。
【００２３】
本実施形態のデッキボード１は、表側外壁２と裏側外壁３の間に、高さ５〜２０ｍｍ程度の中空部が設けられた構造を有している。図１（ｂ）などに示すように、表側外壁２と裏側外壁３の間には、耐荷重性を高め、反りなどの変形が生じないように、両者をつなぐ複数のリブ４を形成するのが好ましい。リブ４としては、図には、好ましい例として、自動車の幅方向に平行に複数本の線状のものを形成した構成を示している。このような構造のデッキボード１は、ポリプロピレン樹脂、ナイロン樹脂などの熱可塑性樹脂から公知のブロー成形法によって形成することができる。デッキボード１には、特に表側外壁２の表面に、所望の意匠を有する不織布などの表皮材を貼着し、意匠性を高めるのが好ましい。
【００２４】
図３に示すように、デッキボード１は、自動車の座席３２の後方からバックドア３０に至る、荷物の載置部として通常利用される部分の床面を覆う大きさを有している。デッキボード１は、このように床面を覆うように配設した状態で、左右の端末が、自動車の両側のデッキサイドトリム２１にぴったり沿い、後方の端末が、自動車の、バックドアトリム３１によって覆われる後方開口の下端を形成するリヤエンドガーニシュ２０にぴったり沿う大きさおよび形状とするのが好ましい。それによって、見栄えを良くし、またデッキボード１が良好な遮音効果を果たすようにすることができる。
【００２５】
このデッキボード１には、自動車の後方の端末にウェビングベルト１０が取り付けられている。このようにウェビングベルト１０を取り付けるのに好適な構成として、デッキボード１には、後方の部分を上方に折り曲げることができるようにするヒンジ６が設けられている。一方、自動車の、デッキボード１の下方の部分には、図３（ｂ）に示すように、デッキボード下方空間４０が設けられている。この構成では、ウェビングベルト１０をつかみ、デッキボード１の後方の部分をヒンジ６で折り曲げて上方に持ち上げることによって、デッキボード下方空間４０の上方を開いて、その中の荷物を出し入れすることができる。
【００２６】
図示する例では、ヒンジ６は、そこでデッキボード１を折り曲げることによって、デッキボード下方空間４０の後方の一部の上方が開かれる位置と、デッキボード下方空間４０の全体の上方が開かれる位置に設けられている。デッキボード下方空間４０は、小さな荷物などを収容するのに好適に用いることができ、このような荷物を出し入れする際、通常は、デッキボード１の後方の一部のみを持ち上げれば済むようになっている。そして、荷物をデッキボード下方空間の奥、すなわち自動車の前方側の部分に出し入れする際や、比較的大きい荷物を出し入れする際には、デッキボード下方空間４０の上面全体を開くことができるようになっている。
【００２７】
ヒンジ６は、表側外壁２と裏側外壁３を近接させ、デッキボード１の厚さを薄くした部分として形成することができる。このような構成のヒンジ６は、ブロー成形の特性を生かして容易に形成することができる。
【００２８】
次に、利用者がデッキボード１の開操作、すなわち後方部分を持ち上げる操作を行いやすいように、把手として機能するウェビングベルト１０とその取付け部の構成についてさらに詳細に説明する。
【００２９】
ウェビングベルト１０としては、幅が１０〜３０ｍｍ程度、長さが１００〜２００ｍｍ程度の帯状の形状の、厚手に組繊したナイロン布製ウェビングベルトを用いるのが好ましい。このようなウェビングベルト１０は、長手方向に２つに折り返され、重ねられた両端末が、デッキボード１のバックドア３０側に面する面に取り着けられている。
【００３０】
デッキボード１の、ウェビングベルト１０が取り付けられた面は、図２（ａ）などに示すように、後方に向かって斜め下方を向いた傾斜面７になっている。このようにウェビングベルト１０を傾斜面７に取り付け、また、ウェビングベルト１０としてある程度のこしがあるものを用いることによって、利用者が支えていなくてもウェビング１０が斜めに立ち上がった状態になるようにすることができる。したがって、ウェビングベルト１０は、デッキボード１を閉じた際に、従来技術におけるように、利用者が注意して支えているなどしなくても、確実にデッキボード１の上方に出た状態になり、利用者は、次にデッキボード１を開ける際に容易にウェビングベルト１０をつかむことができる。
【００３１】
この際、ウェビングベルト１０を傾斜面７に取り付け、したがって斜めに延びるように取り付けることによって、従来技術におけるように、ウェビングベルト１０を水平に延びるように取り付ける場合に比べて、バックドアトリム３１やリヤエンドガーニッシュ２０などの車体パネルとの干渉を小さく抑えることができる。また、ウェビングベルト１０を傾斜面７に取り付けた構成では、ウェビングベルト１０を下方に曲げる方向に加わる、重力による力の成分が小さくなり、したがって、ウェビングベルト１０を比較的柔らかい素材から形成しても、デッキボード１を閉めた際に、ウェビングベルト１０が垂れ下がってデッキボード１の下方に挟みこまれてしまうのを回避することが可能となる。ウェビングベルト１０を比較的柔らかい素材から形成することによって、車体パネルとの干渉をより小さく抑えることができる。
【００３２】
ウェビングベルト１０が安定して斜めに立ち上がった状態になるようにするため、傾斜面７の傾斜角度は、水平面に対して４５度程度とするのが好ましい。また、ウェビングベルト１０の剛軟性は、特に、ＪＩＳ  Ｌ  １０９６に規定される織物の剛軟性を測定する試験方法のうち、Ａ法（カンチレバー法）によって測定して、１０ｍｍ以上、特には３０ｍｍ以上とるのが好ましい。
【００３３】
ウェビングベルト１０の取着態様としては、図２などに示すように、ねじ１１によって固定する方法が好適である。ウェビングベルト１０をねじ１１によって固定することによって、ウェビングベルト１０を傾斜面７に密着させて取り付けることができ、それによって、ウェビングベルト１０は、傾斜面７に沿って斜め上方に立ち上がった状態になりやすくなる。
【００３４】
また、本実施形態の構成では、デッキボード１を持ち上げて開く際にウェビングベルト１０に加えられる力は、ねじ１１に対しては、主として、傾斜面７に沿ってねじ１１に直交する方向に加わり、ねじ１１が抜ける方向には加わりにくい。このため、経時的にねじ１１が抜けてしまうのを防止することができる。
【００３５】
この際、本実施形態のデッキボード１は前述のように中空になっているので、ねじ１１を安定して取り付けるために、ウェビング１０の取付部には、傾斜面７の裏面に、傾斜面７に実質的に直行する方向へと、すなわち表側外壁２側へと延びる取付リブ５を形成するのが好ましい。取付リブ５は、中実または半中空の、径５〜１０ｍｍ程度の円柱形状にすることができる。半中空の構成には、ねじ１１を、ねじ１１によって取付リブ５の内面をねじ切りながら、容易にかつ確実に螺着できる合理性がある。
【００３６】
このウェビングベルト１０の取付部には、デッキボード１を持ち上げる際に比較的大きな応力が加わる。取付リブ５は、このように大きな応力が加わる取付部を、割れたり、ねじ１１の取付強度が低下したりしないように補強する働きもある。取付リブ５による、端末の保強効果を高めるために、取付リブ５は表側外壁２の内面に連結させ、それによって、断面で見て、取付リブ５と傾斜面７と表側外壁とによって、一辺の長さが１０〜２０ｍｍ程度の小三角形が形成されるようにするのが好ましい。
【００３７】
本実施形態において、傾斜面７は、図１（ｂ）などに示すように、デッキボード１の表側が、ウェビングベルト１０が通る隙間を残してリヤエンドガーニッシュ２０に近接して位置し、裏側がリヤエンドガーニッシュ２０から離間して、一定の隙間をあけて位置するように形成されている。これによって、デッキボード１を閉じた状態で、ねじ１１の頭部を、デッキボード１の傾斜面７とリヤエンドガーニッシュ２０との間の隙間内に位置させ、したがって、ねじ１１の頭部が目立たないようにでき、また、ねじ１１の頭部が荷物や利用者の衣服に引っ掛かるのを防止できる。このような作用をさらに高めるために、デッキボード１の端末を、ウェビングベルト１０を取り着ける部分のみに傾斜面７を形成し、他の部分は鉛直面となるように構成することによって、ねじ１１の頭部が少なくとも三方を囲まれるようにしてもよい。
【００３８】
また、本実施形態の構成では、ウェビングベルト１０を確実にデッキボード１の上方に位置するようにするのに、従来技術におけるように開口を形成するなどの特別な加工を必要とせず、すなわちデッキボード１の孔明け加工などの二次加工が不要であり、加工費を安くおさえることが可能である。
【００３９】
以上、本発明の好適な実施形態について説明したが、本発明は上記の実施形態に限定されることはなく、種々の変形が可能である。例えば、ヒンジ６は省略してもよく、ウェビングベルト１０をつかんでデッキボード１全体を持ち上げる構成としてもよい。また、デッキボード１は、必ずしも中空の構造でなくてもよい。ウェビングベルト１０は、バックドア３１を開けて操作するのに都合のよい、後方側の末端に取り付けられている例を示したが、デッキボード１の側方の一部を横方向に折り曲げられるようにして、この部分の側方の端末に取り付けてもよい。
【００４０】
【発明の効果】
以上説明したように、本発明によれば、ウェビングベルトをデッキボードの端末に形成した傾斜面に取り付けることによって、常に、デッキボードの上面より上方まで延びるように位置するようにし、デッキボードの下に挟み込んでしまう可能性を可及的に少なくできる。したがって、利用者は、デッキボードを開ける際に、いつでもウェビングベルトを利用することが可能となる。また同時に、ウェビングベルトは斜め上方に延びているため、水平に延びている場合に比べて、バックドアなどとの干渉を小さく抑えることができる。
【００４１】
この際、ウェビングベルトは、デッキボードの最端末に取り付けることができるので、デッキボードの表側の面に凹凸を生じさせることはなく、デッキボードの上面全体を、荷物を載置するのに有効に利用することができる。また、デッキボード下方空間を狭くし、また、収容された荷物などに引っ掛かる恐れのある出っ張りがデッキボードの裏面側に生じることはなく、デッキボード下方空間を公的に利用可能とすることができる。
【００４２】
また、中空のデッキボードにウェビングベルトを取り付ける場合、取付部に、傾斜面の裏面から表側外壁へと延びる、ねじの固定部として利用可能な取付リブを設けることによって、デッキボードを持ち上げて開く際に比較的大きな応力が加わるこの取付部の強度を高めることができる。
【図面の簡単な説明】
【図１】本発明の実施形態のデッキボードを示す模式図であり、図１（ａ）は斜視図、図１（ｂ）は断面図である。
【図２】図１のデッキボードの、ウェビングベルトの取付部の拡大図であり、図２（ａ）は断面図、図２（ｂ）は斜視図である。
【図３】図１のデッキボードを敷設した自動車の模式図であり、図３（ａ）は斜視図、図３（ｂ）は一部を破断して示す斜視図である。
【図４】従来例のデッキボードを示す模式図である。
【図５】他の従来例のデッキボードを示す模式図である。
【符号の説明】
１，５０，６０    デッキボード
２    表側外壁
３    裏側外壁
４    リブ
５    取付リブ
６    ヒンジ
７    傾斜面
１０    ウェビングベルト
１１    ねじ
２０    リヤエンドガーニシュ
２１    デッキサイドトリム
３０    バックドア
３１    バックドアトリム
３２    座席
４０    デッキボード下方空間
５１    ひも
６１    ストラップテープ
６２    取付用ボス
６３    ビス
【図１】
2004314839.tif 000003
【図２】
2004314839.tif 000004
【図３】
2004314839.tif 000005
【図４】
2004314839.tif 000006
【図５】
2004314839.tif 000007